(57)【要約】【課題】マルチ栽培の添え木とマルチシートを畝に固定できることを兼ねる添え木兼用シート押え具を提供すること。【解決手段】添え木兼用シート押え具１は断面が円形の細長な金属丸棒の一端側から所定長さを有する直線状の第１差込部１１と、該第１差込部１１の端部１１ａを直角方向に折り曲げた金属丸棒を前記第１差込部１１の端部１１ａとの間に所定間隔の開口部Ｓを形成する角度まで円形に折り曲げて形成した円弧押え部１２と、該円弧押え部１２の端部１２ａを前記円弧押え部１２の略中心位置方向に略直角方向へ折り曲げて形成した連結押え部１２ｂと、該連結押え部１２ｂの前記円弧押え部１２の略中心位置にある端部１２ｃを前記第１差込部１１と反対方向へ略直角に折り曲げて形成した所定長さの支柱部１３と、前記第１差込部１１と間隔を開けて該第１差込部１１と同方向へ延びるように前記円弧押え部１２に固定した第２差込部１４と、を有する。【選択図】図１
2020058313.tif 000002
【特許請求の範囲】
【請求項１】
断面が円形の細長な金属丸棒の一端側から所定長さを有する直線状の第１差込部と、
該第１差込部の端部を直角方向に折り曲げた金属丸棒を前記第１差込部の端部との間に所定間隔の開口部を形成する角度まで円形に折り曲げて形成した円弧押え部と、
該円弧押え部の端部を前記円弧押え部の略中心位置方向に略直角方向へ折り曲げて形成した連結押え部と、該連結押え部の前記円弧押え部の略中心位置にある端部を前記第１差込部と反対方向へ略直角に折り曲げて形成した所定長さの支柱部と、
前記第１差込部と間隔を開けて該第１差込部と同方向へ延びるように前記円弧押え部に固定した第２差込部と、を有することを特徴とする添え木兼用シート押え具。
【請求項２】
前記支柱部の先端部を逆Ｕ字型に折り曲げた把持部を有することを特徴とする請求項１に記載の添え木兼用シート押え具。
【請求項３】
前記円弧押え部は円周の略３／４周の長さを有しており、前記所定間隔の開口部は円周の略１／４周開口していることを特徴とする請求項１又は請求項２に記載の添え木兼用シート押え具。
【請求項４】
前記断面が円形の細長な金属丸棒が、ステンレス鋼材であることを特徴とする請求項１から請求項３のいずれかに記載の添え木兼用シート押え具。
【請求項５】
前記支柱部に添え棒固定部を設けたことを特徴とする請求項１乃至４のいずれかに記載の添え木兼用シート押え具。
【発明の詳細な説明】
【技術分野】
【０００１】
本発明は、農作物等の苗や苗木を倒れないように支持する添え木とマルチシートを押えて地面に固定する添え木兼用シート押え具に関する。
【背景技術】
【０００２】
従来より、農作物用の畝を黒色のビニル製の所謂マルチシートで覆い、畝の保温性を高めて農作物の苗や苗木（以下、苗木という。）の根付きを良くするマルチ栽培が知られてる。このマルチ栽培では通常はロール状に巻かれたマルチシートを細長い畝に沿って順次広げてゆくが、畝を覆ってから、苗木を植える箇所に孔を開け、その孔に苗木を順次植え付けてゆく。そして、苗木が根付いて茎が成長するまで風雨で倒れないようにするために棒状の添え木を苗木に隣接して畝の地面に突き刺して紐などの係止具で結びつけている。又、ロール状に巻かれたマルチシートを回転させながら畝等に敷設する際に畝の表面に解いたマルチシートが風に煽られてよれたり捲れたりしないよう、補助者の助けを得ることが多いが、補助者がいない時には石などの重しを上に置いて順次作業を行わなければならないので、手間と時間を要している。そして、予め畝等の表面上にマルチシートが張られた後は、マルチシートの両側端部に杭の形状をした止め具を地面に打ち込むことによってマルチシートの両側端縁から風が入り込まないように固定する固定具が提案されている（例えば、特許文献１、特許文献２）。
【先行技術文献】
【特許文献】
【０００３】
【特許文献１】特開平５−２３６８２９
【特許文献２】特開２０１８−０６８１５７
【発明の概要】
【発明が解決しようとする課題】
【０００４】
しかしながら、苗木を支持する添え木は細く短い棒状のもので、これを使用する際には、植えたばかりの苗木の根元に差し込んで使用する時、植えたばかりの苗木の根元の土は掘り返されて軟弱であるため地中深くまで刺し込まなければ安定しないので、少し長目の棒材が必要であると共に押し込み力も強くしなければならないという問題点がある。
又、特許文献１及び特許文献２に記載の固定具は、マルチシートを畝に固定する機能のみしか有していないため、それ以外のマルチ栽培の作業、例えば、農作物の苗木を支持する添え木の設置作業などに使用することができないという問題点がある。
【０００５】
そこで、本発明は、上述した課題を鑑みてなされたものであって、マルチ栽培の苗木の添え木としての利用の他にマルチシートを畝等の地面に固定する際にも利用できる添え木兼用シート押え具を提供することを目的とする。
【課題を解決するための手段】
【０００６】
本発明の添え木兼用シート押え具は、断面が円形の細長な金属丸棒の一端側から所定長さを有する直線状の第１差込部と、該第１差込部の端部を直角方向に折り曲げた金属丸棒を前記第１差込部の端部との間に所定間隔の開口部を形成する角度まで円形に折り曲げて形成した円弧押え部と、該円弧押え部の端部を前記円弧押え部の略中心位置方向に略直角方向へ折り曲げて形成した連結押え部と、該連結押え部の前記円弧押え部の略中心位置にある端部を前記第１差込部と反対方向へ略直角に折り曲げて形成した所定長さの支柱部と、前記第１差込部と間隔を開けて該第１差込部と同方向へ延びるように前記円弧押え部に固定した第２差込部と、を有することを特徴としている。
【０００７】
本発明の添え木兼用シート押え具は、前記支柱部の先端部を逆Ｕ字型に折り曲げた把持部を有することを特徴としている。
【０００８】
本発明の添え木兼用シート押え具は、前記円弧押え部は円周の略３／４周の長さを有しており、前記所定間隔の開口部は円周の略１／４周開口していることを特徴としている。
【０００９】
本発明の添え木兼用シート押え具は、前記断面が円形の細長な金属丸棒が、ステンレス鋼材であることを特徴としている。
【００１０】
本発明の添え木兼用シート押え具は、支柱部に添え棒固定部を具備していることを特徴としている。
【発明の効果】
【００１１】
本発明の添え木兼用シート押え具によると、支柱部は、円弧押え部の略中心位置から第１差込部と反対方向へ略直角に折り曲げられており、第２差込部は、第１差込部と同方向へ延びているので、畝を覆うマルチシートの上方から第１差込部及び第２差込部を円弧押え部や連結押え部がマルチシートに当接するまで地中に差し込むと、安定的にマルチシートを畝に固定することができる。また、農作物の苗木が円弧押え部の中心位置に入るようにしてから畝に第１差込部及び第２差込部を差し込み、所定長さを有する支柱部に苗木の茎を紐等の締付具で結んで支持させれば、苗木の添え木設置作業とマルチシートの畝への固定を兼ねることができ、農作業を効率よく行うことができる。そして、円弧押え部、連結押え部がマルチシートを畝の表面に押さえつけることにより苗木のために開けた孔から風が入り難くなってマルチシートが地面から剥れにくくなる。さらに、円弧押え部の円弧状の端部と第１差込部の端部との間に金属丸棒がない開口部が設けられているので、苗木の側方向から開口部を通じて容易に苗木を円弧押え部の中心位置へ入れることができる。この後に、把持部を持って地面へ押し込むだけでよいので、作業効率を向上させることができる。
【００１２】
本発明の添え木兼用シート押え具によると、支柱部の先端部を逆Ｕ字型に折り曲げて把持部を形成しているので、作業中に手指が先端部に当たって怪我をしたり衣服が引掛かることを防止できる。また、手指を把持部に引掛けて上方に持ち上げれば畝から容易に引き抜くことができる。
【００１３】
本発明の添え木兼用シート押え具によると、円弧押え部は円周の略３／４周の長さを有しており、開口部は円周の略１／４周開口しているので、苗木の側方向から開口部を通って円弧押え部の中心位置に苗木を入れることができ、作業効率を向上させることができる。
【００１４】
本発明の添え木兼用シート押え具によると、金属丸棒はステンレス鋼材であるので、表面に当たる光を乱反射して支柱部に支えられる苗木の光合成を促進したり、害虫が苗木に寄り付いたりすることを防止でき、苗木の成長を助けることができる。
【００１５】
本発明の添え木兼用シート押え具によると、支柱部に添え棒固定部を具備しているので、地面に差し込んだ下端部を有する添え棒の上方部分をこの添え棒固定部で支持でき、添え棒が安定する。
【図面の簡単な説明】
【００１６】
【図１】添え木兼用シート押え具を示す全体斜視図。
【図２】複数の添え木兼用シート押え具を積み重ねた状態を示す斜視図。
【図３】回転させながら巻き解いて広げたマルチシートの端部を添え木兼用シート押え具で仮固定する様子を示す斜視図。
【図４】マルチシートに孔を開け、苗木を畝に植えた状態を示す斜視図。
【図５】畝から浮かした状態で開口部から苗木を円弧押え部の円弧の中心位置に入れる正面図。
【図６】支柱部で苗木を支持した植付状態を示す斜視図。
【図７】添え木兼用シート押え具の使用状態を示す断面図。
【図８】他の実施形態の添え木兼用シート押え具を示す全体斜視図。
【図９】図８の添え木兼用シート押え具の使用状態を示す断面図。
【発明を実施するための形態】
【００１７】
添え木兼用シート押え具１の最良の実施形態について各図を参照しつつ説明する。本願の添え木兼用シート押え具１は、図１及び図７によく表われているように、主に畝２をビニル製のマルチシート３で覆い、畝２の保温性を高めて農作物の苗木Ａの根付きを良くするマルチ栽培に用いられる用具で、マルチシート３に孔を開けて植えられた苗木Ａの添え木として使用されると共にマルチシート３を地面に固定するためにも使用できるものである。
【００１８】
図１に示すように、添え木兼用シート押え具１は、断面が円形の細長な金属丸棒の一端側から所定長さの直線状の第１差込部１１と、該第１差込部１１の端部１１ａを略直角方向に折り曲げた金属丸棒を第１差込部１１の端部１１ａとの間に所定間隔の開口部Ｓを形成する角度まで円形に折り曲げて形成された円弧押え部１２と、該円弧押え部１２の端部１２ａを略直角方向に折り曲げて円弧押え部１２の円弧の略中心位置までの長さの押え連結部１２ｂを形成し、該押え連結部１２ｂの端部１２ｃを第１差込部１１と反対方向である上方へ略直角方向に折り曲げて形成された支柱部１３と、前記第１差込部１１と間隔を開けて該第１差込部１１と同方向へ延び、前記円弧押え部１２に固定される前記第１差込部１１と略同長さの第２差込部１４と、を具備している。
【００１９】
図７に示すように、第１差込部１１は、第２差込部１４と共に地中に差し込まれる部分で、通常１００〜１５０ｍｍ程度の長さで形成され、特に１３０ｍｍ程度とすることが好ましい。苗木Ａの種類によって適宜変更するのが好ましい。また、図１及び図７に示すように、円弧押え部１２は、農作物を栽培する畝２にマルチシート３を上方から押えて固定するための部分で、第１差込部１１の端部１１ａを直角方向に折り曲げてから円形に形成されている。これによってマルチシート３に開けた孔５の外側を押えられるので、マルチシート３と地面の間からの風が入り込むのを阻止できマルチシート３の地表面からの浮き上がりを防止し、マルチシート３を畝２に安定的に固定することができる。又、連結押え部１２ｂもマルチシート３を上方から押えているので、マルチシート３の浮き上がりを防止できる。
【００２０】
円弧押え部１２の円弧部分は、円周の略３／４周の長さを有しており、円弧の直径は１３０〜１８０ｍｍ程度で形成され、特に好ましくは直径１５０ｍｍ程度であるが、苗木Ａの種類によって、適宜変更して使用する。また、円弧押え部１２の端部１２ａから直角方向で、円弧の中心へ向けて延びている連結押え部１２ｂの長さは前記実施例に合わせれば略６０ｍｍ程度であって、その先端１２ｃが円弧の略中心に位置するように形成されている。前記開口部Ｓは苗木Ａを円弧押え部１２の略中心に位置している支柱部１３に隣接する位置にまで入れるためのものであて、円周の略１／４周の約９０°開口するように形成されているが、苗木Ａを通過させることができる範囲であればこの角度は限定されるものではない。
【００２１】
図１及び図２等に示すように、支柱部１３は、苗木Ａを支持して添え木となる部分で、円弧の中心位置にある連結押え部１２ｂの端部１２ｃを第１差込部１１と反対方向へ略直角に上方へ折り曲げられており、その長さは、２２０ｍｍ〜３００ｍｍ程度で形成され、さらに好ましくは２５０ｍｍ程度である。このような長さであれば、添え木兼用シート押え具１を畝２に設置した場合に、苗木Ａの根元部分を支柱部１３に紐で結び付けることにより支柱部１３を苗木Ａの添え木とすることができる。また先述したように、連結押え部１２ｂの端部は円弧部分の略中心に位置しているため、支柱部１３は連結押え部１２ｂの円弧部分の略中心から上方へ突出することになり、畝２の表面から添え木兼用シート押え具１の第１差込部１１及び第２差込部１４を地中に差し込んで設置した場合に、支柱部１３が傾斜したり転倒することなく安定的に畝２に立てることができる。
【００２２】
さらに、支柱部１３は、先端部を逆Ｕ字型に折り曲げて把持部１３ａが形成されており、把持部１３ａの曲線部分の幅は１０〜２０ｍｍ程度で形成されている。このような把持部１３ａを設けることにより、つかみ把み易くなることに加えて、作業者の手指が先端部に当たって怪我をしたりすることを防止でき、衣服が引掛かることも防止できる。把み易いので地面への押し込み引き抜きが容易であり、安全性及び利便性を向上させることができる。
【００２３】
図１〜図７に示すように、第２差込部１４は、支柱部１３に対して第１差込部１１と相対向する位置の円弧押え部１２の円弧部分の下方に溶接固定されている。このように第１差込部１１と第２差込部１４とを支柱部１３を挟んで相対向させることにより、円弧押え部１２の半分の位置で地中に固定できることになって添え木兼用シート押え具１をより安定的に畝２に固定することができる。しかし、第２差込部１４の円弧押え部１２への固定位置はとくに限定されるものではなく、第１差込部１１とある程度離れていればよい。又、その数も第１、第２差込部１１、１４の２本に限らず、３本以上であってもよい。
【００２４】
添え木兼用シート押え具１は、本実施形態では太さφ４〜５ｍｍ程度の金属丸棒で形成されており、図２に示すように、複数の添え木兼用シート押え具１同士を積み重ねることができるため、把持部１３ａ同士を紐で結んでおけば、壁に設置されるフックなどにまとめて吊り掛け保管をすることができ、また、同時に複数持ち運びできるので利便性のよい押え具とすることができる。そして、添え木兼用シート押え具１の金属の材質は特に限定されないが、ステンレス鋼材とすることにより、表面に当たる光を乱反射して支柱部１３に支えられる苗木Ａの光合成を促進したり、害虫が苗木Ａに寄り付いたりすることを防止できることから、又、錆が発生せず耐久性に富み使用年数が向上することから最も望ましい。尚、金属丸棒に代えて、硬質合成樹脂製の棒状材も使用できる。この合成樹脂製の棒状材の中心に金属線を入れたものであれば耐久性も向上し尚好ましい。
【００２５】
次に、添え木兼用シート押え具１の設置手順について説明する。マルチシート３を敷設する場合にはまず図３に示すように、ロール状に巻かれた長尺なマルチシート３を細長い畝２に沿って転がしながら解いて広げてゆくが、最初にマルチシート３の長手方向側の一端部上方から添え木兼用シート押え具１の第１差込部１１及び第２差込部１４を地中に差し込んで、円弧押え部１２及び連結押え部１２ｂをマルチシート３の上面に当接させて下方へと押し込むと、第１差込部１１及び第２差込部１４が地中に係止するとともに各押え部１２、１２ｂがマルチシート３を畝２に押さえつけるので、マルチシート３の一端部を畝２に仮固定することができる。これによって、風が吹いている場合でも、マルチシート３の端が飛ばされることもなくなり、一端側が地中に固定されることから一人でも巻き解し作業が可能になる。
【００２６】
続いて、畝２に沿って順次マルチシート３を巻き解して広げてゆき、マルチシート３の幅方向側の両端部上方から棒状の押え具６などを地中に打ち込んでマルチシート３を畝２に固定する。あるいは添え木兼用シート押え具１を要所要所に差し込んで仮固定してゆき、最後に押え具６を打ち込んで両側を畝に沿って固定してもよい。次に、マルチシート３の苗木Ａを植える位置に所定間隔を開けて所定の直径の孔５を開け、苗木Ａを孔５の開口部分の地中にに植えてゆく。そして添え木兼用シート押え具１を苗木Ａの側方から開口部Ｓを通じて円弧押え部１２の円弧の中心部まで入れ支柱部１３に隣接させる。この時、図５に示すように、把持部１３を指でつかんで浮かせた状態で開口部Ｓを苗木Ａの中心の茎の方向に向けて押し込んでから矢符Ｘ方向へ支柱部１３を回転させて円弧押え部１２の中心位置となるように移動させる。
【００２７】
そして、図６に示すように、添え木兼用シート押え具１の支柱部１３を上方から押えてマルチシート３の面を突き破って畝２の地中の中へ第１差込部１１及び第２差込部１４を突き刺して固定する。その後、図７に示されているように、苗木Ａの茎ａなどの固い部分を支柱部１３に紐などの締付具Ｋで括り付けて支柱部１３に支持させる。このように苗木Ａを支柱部１３に支持させることにより、苗木Ａが風雨で倒されたり傷ついたりすることを効果的に防止する添え木とすることができる。また、支柱部１３は、地中に差し込まれる第１差込部１１及び第２差込部１４を固定した円弧押え部１２と一体となっているので、従来の単なる木や棒状の添え木と比較して風雨による浮き上がりや転倒を起こしにくく、苗木Ａをより安定的に支持することができる。
【００２８】
図８はこの発明の他の実施形態を示し、前記実施形態と異なるところは、支柱部１３に添え棒Ｔを挿通し係止する円弧状の添え棒固定部１３ｂを設けたことである。この添え棒固定部３ｂは支柱部１３を円弧状に曲げて前記円弧押え部１２の円弧より小径の円弧を形成したものである。閉じた円弧とするのではなく、直線方向に延びる支柱部１３との間に開口部１３ｃを形成しておくことによって、この開口部１３ｃから成長した苗木Ａの茎ａを入れて安定させることもできるようにしたのものである。
【００２９】
使用時においては、図９に示すように、添え棒固定部１３ｂに斜め方向から添え棒Ｔを必要本数を挿通して畝２の地中に差し込み安定した状態としてから、成長した苗木Ａの茎ａを締付具Ｋなどによって結び固定すればよい。これによって苗木Ａの茎ａになすなどの重量のある野菜であっても茎ａが倒れることなく収穫時期まで支持することができる。
【００３０】
この実施形態においては、支持部１３を円弧状に曲げて添え棒固定部１３ｂを形成した例を述べたが、別途作製した金属円形環を支柱部１３に固定するなど他の手段によるものであってもよい。あるいは、支持部１３に棒状部材等を横方向に突出させるように固定したものであってもよい。このような添え棒固定部１３ｂがない場合には、支柱部１３に添え棒Ｔを直接に紐などの締付具Ｋで結んで固定してもよい。
【００３１】
このように、本願の添え木兼用シート押え具１は、支柱部１３を苗木Ａの添え木とすることができ、同時にマルチシート３の畝３への固定とを行うことができる。又、マルチシート３を使用しない場合であっても苗木Ａの添え木としても有効に利用できる。更に、マルチシート３の設置作業の補助具としても利用できる。
【００３２】
本発明の実施の形態は上述の形態に限ることなく、本発明の思想の範囲を逸脱しない範囲で適宜変更することができる。
【産業上の利用可能性】
【００３３】
本発明に係る添え木兼用シート押え具によると、マルチシート栽培農業の苗木の添え木として有効利用できるのに加えて、畝にマルチシートを固定する際にも好適に使用することが出来、農作業の作業能率を向上させることができる。
【符号の説明】
【００３４】
１      添え木兼用シート押え具
１１    第１差込部
１２    円弧押え部
１２ａ  把持部
１２ｂ  連結押え部
１３    支柱部
１４    第２差込部
２      畝
３      マルチシート
【図１】
2020058313.tif 000003
【図２】
2020058313.tif 000004
【図３】
2020058313.tif 000005
【図４】
2020058313.tif 000006
【図５】
2020058313.tif 000007
【図６】
2020058313.tif 000008
【図７】
2020058313.tif 000009
【図８】
2020058313.tif 000010
【図９】
2020058313.tif 000011